(57)【要約】【課題】測定対象物側に引掛け可能な部分がなくとも、測定ロッドを測定対象物に容易に係止することのできる張力測定器を提供する。【解決手段】測定対象物としての補強材Ａを係止具３０によって挟持することにより、補強材Ａを測定ロッド２０に係止するようにしたので、補強材Ａに引掛け可能な部分がなくとも、測定ロッド２を補強材Ａに容易に係止することができ、測定作業を短時間で効率良く行うことができる。この場合、係止具３０を、操作レバー３３の操作により基板３１と押圧板３２との間に測定対象物を挟持するトグルクランプによって構成したので、測定対象物との係止及び係止解除を容易に行うことができる。【選択図】図１
0003136654.tif 000002
【実用新案登録請求の範囲】
【請求項１】
測定器本体の一端から外部に延びる測定ロッドを備え、測定ロッドの先端側を測定対象物に係止することにより、測定対象物から測定ロッドに加わる張力を測定する張力測定器において、
前記測定ロッドの先端側に設けられ、測定対象物を挟持することにより測定ロッドを測定対象物に係止する係止具を備えた
ことを特徴とする張力測定器。
【請求項２】
前記係止具を、操作部材の操作により一対の挟持部材の間に測定対象物を挟持するトグルクランプによって構成した
ことを特徴とする請求項１記載の張力測定器。
【考案の詳細な説明】
【技術分野】
【０００１】
本考案は、例えば高圧ホースに繊維や金属ワイヤ等の補強材を巻き付ける工程において、補強材の張力測定に用いられる張力測定器に関するものである。
【背景技術】
【０００２】
一般に、各種工業製品等に用いられる高圧ホースとしては、内面ゴム層の表面に繊維や金属ワイヤ等の補強材を巻き付け、その上から外面ゴム層で被覆したものが知られている。この高圧ホースを製造する場合は、補強材を巻き付けた多数のボビンを専用の装置に取付け、各ボビンの補強材をホース側に巻き付けるようにしている（例えば、特許文献１参照。）。
【０００３】
この巻付工程においては、補強材の張力を張力測定器によって測定することにより、ボビンから巻き出される補強材の張力が適正か否かを確認している。この場合、張力測定器は、測定器本体の一端から外部に延びる測定ロッドの先端に補強材を係止することにより、補強材から測定ロッドに加わる張力を測定するようになっている（例えば、特許文献２参照。）。
【特許文献１】特開２０００−３５５４６３号公報
【特許文献２】実開平２−１５０８１号公報
【考案の開示】
【考案が解決しようとする課題】
【０００４】
しかしながら、前記張力測定器は、測定ロッドの先端に設けられたフックに測定対象物を係止するようになっているため、前述のように補強材の張力を測定する場合は、ボビンとホースとの間の補強材を引き出し、環状に結んで測定ロッドのフックを引掛けるという煩雑な作業を必要とし、作業性を低下させるという問題点があった。
【０００５】
本考案は前記問題点に鑑みてなされたものであり、その目的とするところは、測定対象物側に引掛け可能な部分がなくとも、測定ロッドを測定対象物に容易に係止することのできる張力測定器を提供することにある。
【課題を解決するための手段】
【０００６】
本考案は前記目的を達成するために、測定器本体の一端から外部に延びる測定ロッドを備え、測定ロッドの先端側を測定対象物に係止することにより、測定対象物から測定ロッドに加わる張力を測定する張力測定器において、前記測定ロッドの先端側に設けられ、測定対象物を挟持することにより測定ロッドを測定対象物に係止する係止具を備えている。
【０００７】
これにより、測定対象物を係止具によって挟持することにより、測定対象物が測定ロッドに係止することから、測定対象物に引掛け可能な部分がなくとも、測定ロッドを測定対象物に容易に係止することができる。
【考案の効果】
【０００８】
本考案によれば、測定対象物に引掛け可能な部分がなくとも、測定ロッドを測定対象物に容易に係止することができるので、測定作業を短時間で効率良く行うことができる。
【考案を実施するための最良の形態】
【０００９】
図１及び図２は本考案の一実施形態を示すもので、図１は張力測定器の全体斜視図、図２は係止具の側面図である。
【００１０】
この張力測定器は、測定器本体１０と、測定器本体１０の一端から外部に延びる測定ロッド２０と、測定ロッド２０を測定対象物に係止する係止具３０とを備えている。
【００１１】
測定器本体１０は、手指で把持可能な縦長のケース体によって形成され、測定ロッド２０に加わる張力を内部のバネ機構（図示せず）により機械的に検出する周知の構成からなる。また、測定器本体１０は上面にアナログ式の張力計１１を有し、測定ロッド２０に生ずる張力を張力計１１に表示するようになっている。
【００１２】
測定ロッド２０は一端（先端）に係止具３０が固定された金属製の棒状部材からなり、その他端側は測定器本体１０に摺動自在に挿入されている。
【００１３】
係止具３０は、測定ロッド２０に固定された一方の挟持部材としての基板３１と、基板３１との間に測定対象物を挟持する他方の挟持部材としての押圧板３２と、押圧板３２を基板３１に対して開閉する操作レバー３３とを備えたトグルクランプによって構成されている。基板３１は前端側の上面に押圧板３２が対向するように形成され、その後端側の上面には押圧板３２及び操作レバー３３を回動自在に支持する支持部材３４が設けられている。押圧板３２は後方に延びる揺動アーム３５の前端に固定され、揺動アーム３５は支軸３５ａを介して支持部材３４の前端側に回動自在に取付けられている。操作レバー３３は前端を支軸３３ａを介して揺動アーム３５の後端に回動自在に連結され、操作レバー３３の後端側には操作部３３ｂが設けられている。操作レバー３３は連結部材３６を介して基板３１に回動自在に取付けられ、連結部材３５の両端はそれぞれ支軸３５ａ，３５ｂを介して基板３１及び操作レバー３３に回動自在に連結されている。
【００１４】
即ち、この係止具３０では、図２(a) に示すように操作レバー３３の操作部３３ｂを基板３１から離れる方向に操作すると、揺動アーム３５との回動支点が基板３１側に移動し、これにより揺動アーム３５が一方に回動して押圧板３２が基板３１から離れる。また、図２(b) に示すように操作レバー３３の操作部３３ｂを基板３１側に移動するように操作すると、揺動アーム３５との回動支点が基板３１から離れる方向に移動し、これにより揺動アーム３５が他方に回動して押圧板３２が基板３１に圧接する。その際、トグルクランプの機能として、揺動アーム３５と操作レバー３３とを連結する回動支点が、揺動アーム３５の回動支点と操作レバー３３の回動支点とを結ぶ線を強制的に越えることにより、押圧板３２が基板３１側に押し付けられた状態が保持されるようになっている。
【００１５】
以上のように構成された張力測定器は、例えば高圧ホースに繊維や金属ワイヤ等の補強材を巻き付ける工程において、補強材の張力を測定する場合に用いられる。この場合、図２(a) に示すように補強材Ａの任意の位置を係止具３０の基板３１と押圧板３２との間に配置し、図２(b) に示すように操作レバー３３を操作して押圧板３２を基板３１側に移動させることにより、補強材Ａが基板３１と押圧板３２との間に挟持されて測定ロッド２０に係止する。そして、測定器本体１０を引張ることにより、補強材Ａの張力が測定器本体１０の張力計１１に表示され、補強材Ａの張力が適正か否かを確認することができる。
【００１６】
このように、本実施形態の張力測定器によれば、測定対象物としての補強材Ａを係止具３０によって挟持することにより、補強材Ａを測定ロッド２０に係止するようにしたので、補強材Ａに引掛け可能な部分がなくとも、測定ロッド２を補強材Ａに容易に係止することができ、測定作業を短時間で効率良く行うことができる。
【００１７】
また、係止具３０を、操作レバー３３の操作により基板３１と押圧板３２との間に測定対象物を挟持するトグルクランプによって構成したので、測定対象物との係止及び係止解除を容易に行うことができ、実用化に際して極めて有利である。
【００１８】
尚、前記実施形態では、係止具３０をトグルクランプによって構成したものを示したが、例えばネジで締め付けて挟持する構造など、他の構成による係止具を備えたものであってもよい。
【００１９】
また、前記実施形態では、高圧ホースの補強材の巻き付け工程で用いる場合を例示したが、このような用途に限らず、他の測定に用いることも可能である。
【図面の簡単な説明】
【００２０】
【図１】本考案の一実施形態を示す張力測定器の全体斜視図
【図２】係止具の側面図
【符号の説明】
【００２１】
１０…測定器本体、２０…測定ロッド、３０…係止具、３１…基板、３２…押圧板、３３…操作レバー。
【図１】
0003136654.tif 000003
【図２】
0003136654.tif 000004